(57)【要約】【課題】プロジェクターの設定画面の切り替えが容易な制御装置を提供する。【解決手段】プロジェクター１００Ａ、及びプロジェクター１００Ｂを制御する情報処理装置２００は、プロジェクター１００Ａを管理するための第１の操作画面、及びプロジェクター１００Ｂを管理するための第２の操作画面を表示する表示部２３４と、第１の操作画面、及び第２の操作画面に対する操作を受け付ける入力部２３２と、入力部２３２が受け付けた操作に基づいてプロジェクター１００Ａ、及びプロジェクター１００Ｂを制御する制御部２２０と、を備え、制御部２２０は、情報処理装置２００が、第１の操作画面が操作可能な第１の状態から、第２の操作画面が操作可能な第２の状態に切り替わると、第２の状態において、第１の状態で第１の操作画面で選択されていた所定の項目に対応する項目が選択された第２の操作画面を表示させる。【選択図】図３
2020074159.tif 000002
【特許請求の範囲】
【請求項１】
第１の表示装置、及び第２の表示装置を制御する制御装置であって、
前記第１の表示装置を管理するための第１の管理画面、及び前記第２の表示装置を管理するための第２の管理画面を表示する表示部と、
前記第１の管理画面、及び前記第２の管理画面に対する操作を受け付ける入力部と、
前記入力部が受け付けた前記操作に基づいて前記第１の表示装置及び前記第２の表示装置を制御する制御部と、を備え、
前記制御部は、
前記制御装置が、前記第１の管理画面が操作可能な第１の状態から、前記第２の管理画面が操作可能な第２の状態に切り替わると、前記第２の状態において、前記第１の状態で前記第１の管理画面で選択されていた所定の項目に対応する項目が選択された前記第２の管理画面を前記表示部に表示させることを特徴とする制御装置。
【請求項２】
請求項１に記載の制御装置において、
前記所定の項目は、前記第１の状態において前記第１の管理画面で選択されている第１の項目画面に含まれることを特徴とする制御装置。
【請求項３】
請求項２に記載の制御装置において、
前記制御部は、
前記第２の状態において、前記第１の項目画面と同一の第２の項目画面を前記第２の管理画面に選択させることを特徴とする制御装置。
【請求項４】
請求項３に記載の制御装置において、
前記制御部は、
前記第２の管理画面で前記第２の項目画面を選択させる場合、前記第２の項目画面の項目を初期値に設定することを特徴とする制御装置。
【請求項５】
請求項３に記載の制御装置において、
前記制御部は、
前記第２の管理画面で前記第２の項目画面を選択させる場合、前記第２の表示装置の設定状態に基づいて、前記第２の項目画面の項目を決定することを特徴とする制御装置。
【請求項６】
請求項１乃至５のいずれか１項に記載の制御装置において、
前記制御部は、
前記所定の項目に対応する前記項目を選択するか、否かを設定スイッチに基づいて決定することを特徴とする制御装置。
【請求項７】
第１の表示装置、及び第２の表示装置を制御する制御方法であって、
前記第１の表示装置を管理するための第１の管理画面及び前記第２の表示装置を管理するための第２の管理画面を表示し、
前記第１の管理画面が操作可能な第１の状態から、前記第２の管理画面が操作可能な第２の状態への切り替わりを判定し、
前記第１の状態から前記第２の状態への切り替わりを判定した場合、前記第２の管理画面において、前記第１の状態で前記第１の管理画面で選択されていた所定の項目に対応する項目を選択し、
前記第２の管理画面を操作可能に表示することを特徴とする制御方法。
【請求項８】
第１の表示装置、及び第２の表示装置を制御する制御プログラムであって、
前記第１の表示装置を管理するための第１の管理画面及び前記第２の表示装置を管理するための第２の管理画面を表示する機能と、
前記第１の管理画面が操作可能な第１の状態から、前記第２の管理画面が操作可能な第２の状態への切り替わりを判定する機能と、
前記第１の状態から前記第２の状態への切り替わりを判定した場合、前記第２の管理画面において、前記第１の状態で前記第１の管理画面で選択されていた所定の項目に対応する項目を選択する機能と、
前記第２の管理画面を操作可能に表示する機能と、をコンピューターに実行させることを特徴とする制御プログラム。
【発明の詳細な説明】
【技術分野】
【０００１】
本発明は、制御装置、制御方法および制御プログラムに関する。
【背景技術】
【０００２】
下記特許文献１に示すように、パーソナルコンピューターのような１台の制御装置が、プロジェクターのような複数の表示装置を制御するシステムが知られている。このようなシステムでは、パーソナルコンピューターは、複数のプロジェクターを制御するための設定画面を表示部に表示し、ユーザーは表示された設定画面を操作して所望の設定を行うことができる。
【先行技術文献】
【特許文献】
【０００３】
【特許文献１】特開２０１５−２３０６４８号公報
【発明の概要】
【発明が解決しようとする課題】
【０００４】
しかしながら、複数のプロジェクターを制御するための設定画面は、プロジェクター毎に独立しているため、ユーザーは、制御対象とするプロジェクター毎に設定画面を選択して切り替え、切り替えた設定画面毎に所望の設定を行う必要があり、プロジェクターをそれぞれ設定するのに操作が煩わしく手間が掛かり、ユーザーの利便性を損なった。
本発明は、上述の課題に鑑みてなされたものであり、プロジェクターの設定画面の切り替えが容易な制御装置を提供することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる制御装置は、第１の表示装置、及び第２の表示装置を制御する制御装置であって、前記第１の表示装置を管理するための第１の管理画面、及び前記第２の表示装置を管理するための第２の管理画面を表示する表示部と、前記第１の管理画面、及び前記第２の管理画面に対する操作を受け付ける入力部と、前記入力部が受け付けた前記操作に基づいて前記第１の表示装置及び前記第２の表示装置を制御する制御部と、を備え、前記制御部は、前記制御装置が、前記第１の管理画面が操作可能な第１の状態から、前記第２の管理画面が操作可能な第２の状態に切り替わると、前記第２の状態において、前記第１の状態で前記第１の管理画面で選択されていた所定の項目に対応する項目が選択された前記第２の管理画面を前記表示部に表示させることを特徴とする。
【０００７】
このような構成によれば、第１の管理画面が操作可能な第１の状態から、第２の管理画面が操作可能な第２の状態に切り替わると、第２の状態において、第１の状態で第１の管理画面で選択されていた所定の項目に対応する項目が選択された第２の管理画面が表示される。従って、第１の管理画面で選択されていた所定の項目に対応する項目が、第２の管理画面において選択されるため、第１の表示装置、及び第２の表示装置に関して所定の項目の管理が迅速に行え、表示装置の管理に対する利便性が向上する。
【０００８】
［適用例２］
上記適用例にかかる制御装置において、前記所定の項目は、前記第１の状態において前記第１の管理画面で選択されている第１の項目画面に含まれても良い。
【０００９】
［適用例３］
上記適用例にかかる制御装置において、前記制御部は、前記第２の状態において、前記第１の項目画面と同一の第２の項目画面を前記第２の管理画面に選択させることが好ましい。
【００１０】
このような構成によれば、第２の状態において、第１の状態で第１の管理画面で選択されていた第１の項目画面と同一の第２の項目画面が選択された第２の管理画面が表示される。従って、管理する表示装置を切り替えた場合、同一の項目画面が表示されるため、表示装置を切り替える度に項目画面を選択する手間が省ける。
【００１１】
［適用例４］
上記適用例にかかる制御装置において、前記制御部は、前記第２の管理画面で前記第２の項目画面を選択させる場合、前記第２の項目画面の項目を初期値に設定しても良い。
【００１２】
［適用例５］
上記適用例にかかる制御装置において、前記制御部は、前記第２の管理画面で前記第２の項目画面を選択させる場合、前記第２の表示装置の設定状態に基づいて、前記第２の項目画面の項目を決定しても良い。
【００１３】
［適用例６］
上記適用例にかかる制御装置において、前記制御部は、前記所定の項目に対応する前記項目を選択するか、否かを設定スイッチに基づいて決定することが好ましい。
【００１４】
このような構成によれば、第１の状態から第２の状態に切り替えた場合、設定スイッチに応じて、管理画面に表示する項目を決定できる。
【００１５】
［適用例７］
本適用例にかかる制御方法は、第１の表示装置、及び第２の表示装置を制御する制御方法であって、前記第１の表示装置を管理するための第１の管理画面及び前記第２の表示装置を管理するための第２の管理画面を表示し、前記第１の管理画面が操作可能な第１の状態から、前記第２の管理画面が操作可能な第２の状態への切り替わりを判定し、前記第１の状態から前記第２の状態への切り替わりを判定した場合、前記第２の管理画面において、前記第１の状態で前記第１の管理画面で選択されていた所定の項目に対応する項目を選択し、前記第２の管理画面を操作可能に表示することを特徴とする。
【００１６】
このような方法によれば、第１の管理画面が操作可能な第１の状態から、第２の管理画面が操作可能な第２の状態に切り替わると、第２の状態において、第１の状態で第１の管理画面で選択されていた所定の項目に対応する項目が選択された第２の管理画面が表示される。従って、第１の管理画面で選択されていた所定の項目に対応する項目が、第２の管理画面において選択されるため、第１の表示装置、及び第２の表示装置に関して所定の項目の管理が迅速に行え、表示装置の管理に対する利便性が向上する。
【００１７】
［適用例８］
本適用例にかかる制御プログラムは、第１の表示装置、及び第２の表示装置を制御する制御プログラムであって、前記第１の表示装置を管理するための第１の管理画面及び前記第２の表示装置を管理するための第２の管理画面を表示する機能と、前記第１の管理画面が操作可能な第１の状態から、前記第２の管理画面が操作可能な第２の状態への切り替わりを判定する機能と、前記第１の状態から前記第２の状態への切り替わりを判定した場合、前記第２の管理画面において、前記第１の状態で前記第１の管理画面で選択されていた所定の項目に対応する項目を選択する機能と、前記第２の管理画面を操作可能に表示する機能と、をコンピューターに実行させることを特徴とする。
【００１８】
このような構成によれば、第１の管理画面が操作可能な第１の状態から、第２の管理画面が操作可能な第２の状態に切り替わると、第２の状態において、第１の状態で第１の管理画面で選択されていた所定の項目に対応する項目が選択された第２の管理画面が表示される。従って、第１の管理画面で選択されていた所定の項目に対応する項目が、第２の管理画面において選択されるため、第１の表示装置、及び第２の表示装置に関して所定の項目の管理が迅速に行え、表示装置の管理に対する利便性が向上する。
【図面の簡単な説明】
【００１９】
【図１】投射システムの概要を示す図。
【図２】プロジェクターの機能構成を示す構成図。
【図３】情報処理装置の機能構成を示す構成図。
【図４】プロジェクター設定プログラムの処理の流れを示すフローチャート。
【図５】表示タブ変更処理の詳細を示すフローチャート。
【図６Ａ】操作画面の一例を示す図。
【図６Ｂ】操作画面の一例を示す図。
【図６Ｃ】操作画面の一例を示す図。
【図７Ａ】操作画面の一例を示す図。
【図７Ｂ】操作画面の一例を示す図。
【図７Ｃ】操作画面の一例を示す図。
【発明を実施するための形態】
【００２０】
以下、本発明の実施形態について図面を参照して説明する。
【００２１】
（実施形態）
以下、実施形態に係る制御装置について、図面を参照して説明する。
図１は、投射システム５の概要を示す図である。
この投射システム５では、制御装置に相当する情報処理装置２００と、表示装置に相当する複数のプロジェクター（１００Ａ，１００Ｂ，１００Ｃ）とが、所定の無線通信方式のプロトコルに従って接続され、ネットワーク１０を介した通信を行うことができる。
情報処理装置２００は、プロジェクター（１００Ａ，１００Ｂ，１００Ｃ）のそれぞれに対して、投射に係る設定を行う投射設定や、投射する画像データの供給等を行うことができる。投射設定は、フォーカス調整、歪み補正、ズーム設定およびレンズシフト調整等に関する設定を含む。
また、プロジェクター（１００Ａ，１００Ｂ，１００Ｃ）は、情報処理装置２００からの指示に基づいて、動画を含む種々の画像をそれぞれのスクリーン（ＳＣ１，ＳＣ２，ＳＣ３）に投射することができる。
【００２２】
＜プロジェクターの機能構成＞
本実施形態では、プロジェクター（１００Ａ，１００Ｂ，１００Ｃ）は同一の機種を想定する。従って、以降の説明として、プロジェクター１００Ａを採用する。
図２は、プロジェクター１００Ａの機能構成を示す構成図である。
【００２３】
プロジェクター１００Ａは、通信部１７５を備える。本実施形態では、通信部１７５は、ＷｉＦｉ（登録商標）のような無線ＬＡＮやＢｌｕｅｔｏｏｔｈ（登録商標）に対応する通信インターフェイスを備え、ネットワーク１０を介して情報処理装置２００と接続される。
尚、通信部１７５は、Ｅｔｈｅｒｎｅｔ（登録商標）、ＩＥＥＥ１３９４、ＨＤＭＩ（登録商標）、ＵＳＢ等の有線接続であっても良い。また、通信部１７５は、図示を略した、ＣＰＵ等のプロセッサー、ＲＡＭ等の記憶媒体とソフトウェアとが協働して機能する通信装置であっても良い。
【００２４】
通信部１７５は、接続した情報処理装置２００から投射設定や画像データ等を受信する。通信部１７５は、受信した投射設定に関するデータを制御部１６０に送る。また、通信部１７５は、受信した画像データを画像処理部１５２に送る。
また、通信部１７５は、接続した情報処理装置２００に対して各種の情報データを送信できる。
プロジェクター１００Ａは、光学的な画像の形成を行い、スクリーンＳＣ１に画像を投射（表示）する画像投射部５０を備える。画像投射部５０は、光源としての光源部５５、光変調部８０及び投射光学系９０を備える。
【００２５】
光源部５５は、光源駆動部１２１により駆動される。光源駆動部１２１は、内部バス１８０に接続される。光源駆動部１２１は、制御部１６０の制御に従って、光源部５５の光源を点灯及び消灯させる。光源が点灯すると出射光Ｌ１が光変調部８０に入光される。
光変調部８０は、光源部５５から入射する光を表示画像データに応じて変調する。光源部５５からの出射光Ｌ１は、光変調部８０によって変調され、画像光Ｌ２となる。光変調部８０は、一対の透明基板間に液晶が封入された液晶パネルを含む液晶ライトバルブ（不図示）を備える。液晶ライトバルブは、３原色である赤色（Ｒ）、緑色（Ｇ）、青色（Ｂ）の色光成分に対応する３枚の液晶パネルを備える。また光変調部８０には、光変調部８０を駆動する光変調駆動部１２２が接続される。光変調駆動部１２２は、内部バス１８０に接続される。
【００２６】
光変調駆動部１２２は、画像処理部１５２から入力される表示画像データに基づいてＲ，Ｇ，Ｂの画像信号をそれぞれに生成する。光変調駆動部１２２は、生成したＲ，Ｇ，Ｂの画像信号に基づいて、光変調部８０の対応する液晶パネル（図示は略す）を駆動し、画像を描画させる。
投射光学系９０は、光変調部８０からの画像光Ｌ２をスクリーンＳＣ１方向へ投射して、スクリーンＳＣ１上に結像させるレンズ群を備える。また、投射光学系９０は、スクリーンＳＣ１の投射画像の拡大・縮小及び焦点の調整を行うズーム機構、フォーカスの調整を行うフォーカス調整機構、およびスクリーンＳＣ１上の投射位置を上下左右方向に移動させるレンズシフト機構を備える。
【００２７】
本実施形態では、ズーム機構、フォーカス調整機構およびレンズシフト機構は、ユーザーの手動による調整に加えて、モーターおよびギヤ等で構成されるアクチュエーター９２により調整することが可能である。例えば、アクチュエーター９２は、モーターの回転をギヤ等で直動方向の移動に変換し、レンズ群の少なくとも一部を光軸方向に移動させたり、光軸と直交する方向に移動させたりする。
【００２８】
投射光学系９０には、光学系調整部１２３が接続される。光学系調整部１２３は、内部バス１８０に接続される。
光学系調整部１２３は、フォーカス調整、ズーム設定またはレンズシフト調整等に応じて制御部１６０から送られる指示に基づいて、アクチュエーター９２の駆動信号を生成する。光学系調整部１２３は、生成した駆動信号に基づいて、投射光学系９０のアクチュエーター９２を駆動させる。
【００２９】
プロジェクター１００Ａは、操作パネル１３１及び操作処理部１３３を備える。操作処理部１３３は、内部バス１８０に接続される。
ユーザーからの操作を受け付ける操作パネル１３１には、各種の操作キーや表示画面が表示される。操作処理部１３３は、操作パネル１３１に表示された操作キーが操作されると、操作されたキーに対応したデータを制御部１６０に出力する。また、操作処理部１３３は、制御部１６０の制御に従って、操作パネル１３１に各種画面を表示させる。
また、操作パネル１３１には、操作パネル１３１への接触を検出するタッチセンサーが重ね合わされて一体形成されても良い。操作処理部１３３は、ユーザーの手指等が接触した操作パネル１３１の位置を入力位置として検出し、検出した入力位置に対応したデータを制御部１６０に出力する。尚、操作指示は操作パネル１３１に対する入力には限定されず、例えば、図示を略した無線リモコン等から送信される態様も想定できる。
【００３０】
プロジェクター１００Ａは、状態検出部１４０を備える。状態検出部１４０は、プロジェクター１００Ａが内蔵するカメラ１４２が出力する信号が入力される。
状態検出部１４０は、入力された信号に基づきプロジェクター１００Ａの状態を示す状態情報を生成し、制御部１６０に出力する。
カメラ１４２は、撮像光学系、ＣＣＤのような撮像素子及びインターフェイス回路等を有し、投射画像が投射されるスクリーンＳＣ１の周辺、即ち、投射光学系９０の投射方向を撮影する。カメラ１４２は、撮影した投射画像の画像データ信号を状態検出部１４０に出力する。
【００３１】
プロジェクター１００Ａは、画像処理系を備える。画像処理系は、プロジェクター１００Ａの全体を統括的に制御する制御部１６０を中心に構成され、この他に、画像処理部１５２、フレームメモリー１５５及び記憶部１７０を備える。制御部１６０、画像処理部１５２及び記憶部１７０は、内部バス１８０に接続される。
【００３２】
画像処理部１５２は、制御部１６０の制御に従って、通信部１７５から入力される画像データをフレームメモリー１５５に展開する。画像処理部１５２は、フレームメモリー１５５に展開された画像データに対して、歪みを補正する台形補正等の形状補正処理、デジタルズーム処理、画像の色合いや明るさの調整等の処理を行う。画像処理部１５２は、制御部１６０により指定された処理を実行し、必要に応じて、制御部１６０から入力されるパラメーターを使用して処理を行う。また、画像処理部１５２は、上記のうち複数の処理を組み合わせて実行することも勿論可能である。
画像処理部１５２は、処理後の画像データをフレームメモリー１５５から読み出し、表示画像データとして光変調駆動部１２２に出力する。
【００３３】
制御部１６０は、何れも図示は略した、ＣＰＵ（Central Processing Unit）等のプロセッサー、ＲＯＭ（Read Only Memory）及びＲＡＭ（Random Access Memory）等のハードウェアを備える。ＲＯＭは、フラッシュＲＯＭ等の不揮発性の記憶装置であり、制御プログラムやデータを格納する。ＲＡＭは、プロセッサーのワークエリアを構成する。プロセッサーは、ＲＯＭや記憶部１７０から読み出した制御プログラムをＲＡＭに展開し、ＲＡＭに展開された制御プログラムを実行してプロジェクター１００Ａの各機能部を実現し、プロジェクター１００Ａの動作を統括して制御する。
【００３４】
制御部１６０は、情報処理装置２００から送信される投射設定に関するデータに基づいて、フォーカス調整、歪み補正、ズーム設定およびレンズシフト調整や、テストパターンの投射を行う。また、制御部１６０は、操作パネル１３１を介して入力される操作指示に基づいて、各機能の実行を制御する。
また、制御部１６０は、機能ブロックとして、投射制御部１６１および補正処理部１６３を備える。これらの機能ブロックは、何れも図示を略した、ＣＰＵと、ＲＯＭや記憶部１７０に記憶された制御プログラムと、が協働することで実現される。
記憶部１７０は、不揮発性の記憶装置であり、例えば、フラッシュメモリー、ＥＰＲＯＭ（Erasable Programmable ROM）、ＥＥＰＲＯＭ（Electrically EPROM）、ＨＤＤ（Hard Disc Drive）などの記憶装置により実現される。また、記憶部１７０は、画像投射部５０によりスクリーンＳＣ１に投射させる画像データや、制御部１６０が参照する各データやパラメーターや、テストパターンの画像データ等を記憶する。
【００３５】
投射制御部１６１は、画像投射部５０における画像の表示態様を調整し、スクリーンＳＣ１への画像の投射を制御する。
具体的には、投射制御部１６１は、画像処理部１５２を制御して、通信部１７５が受信した画像データに対する画像処理を実行させる。この際、投射制御部１６１は、画像処理部１５２が処理に必要なパラメーターを記憶部１７０から読み出して、画像処理部１５２に出力してもよい。
また、投射制御部１６１は、光源駆動部１２１を制御して光源部５５の光源を点灯させ、光源部５５に対して光源の輝度を指示する。
【００３６】
補正処理部１６３は、状態検出部１４０から出力される状態情報に基づいて、補正処理を実行する。
例えば、状態情報が、プロジェクター１００Ａの傾斜を示している場合、補正処理部１６３は、画像処理部１５２に対して補正を指示する。
また、補正処理部１６３は、情報処理装置２００から送信された投射設定の歪み補正に関するデータに基づいて、画像処理部１５２に対して補正を指示する。
電源部１９０は、外部の電源１９５から供給される電力を所定の特性値に変換し、各機能部に供給する。
【００３７】
＜情報処理装置の機能構成＞
図３は、プロジェクター（１００Ａ，１００Ｂ，１００Ｃ）と接続される情報処理装置２００の機能構成を示す構成図である。以降の説明において、プロジェクター１００Ａは第１の表示装置に相当し、プロジェクター１００Ｂは第２の表示装置に相当する。
情報処理装置２００は、通信部２１０、制御部２２０、入出力部２３０および記憶部２４０を備える。
本実施形態では、情報処理装置２００はノート型のコンピューターを想定するが、これには限定されない。例えば、情報処理装置２００は、ユーザーが手に持って操作する小型の情報端末であっても良い。小型の情報端末は、例えば、スマートフォン等の高機能携帯電話や、タブレット端末、ＰＤＡ（Personal Digital Assistants）等の多機能携帯端末を想定する。
【００３８】
通信部２１０は、ネットワーク１０を介してプロジェクター（１００Ａ，１００Ｂ，１００Ｃ）との間でデータを送受信する。例えば、通信部２１０は、プロジェクター（１００Ａ，１００Ｂ，１００Ｃ）で投射する画像データや、プロジェクター（１００Ａ，１００Ｂ，１００Ｃ）の投射設定に関するデータを送信する。
記憶部２４０は、画像や文書を示すファイル形式のコンテンツデータや、情報処理装置２００で実行可能なプロジェクター設定プログラム２５０のデータを記憶する。プロジェクター設定プログラム２５０は、制御プログラムに相当し、接続しているプロジェクター（１００Ａ，１００Ｂ，１００Ｃ）の投射設定を行うためのアプリケーションプログラムである。本実施形態では、記憶部２４０は、例えば、フラッシュメモリー等を想定する。
【００３９】
入出力部２３０は、接続しているプロジェクター（１００Ａ，１００Ｂ，１００Ｃ）を管理するための管理画面（操作画面）を表示する表示部２３４と、操作画面に対する操作を受け付ける入力部２３２と、を備える。本実施形態では、表示部２３４は、液晶パネルを想定し、例えば、実行中のプロジェクター設定プログラム２５０のユーザーインターフェイス等の画像を表示する。また、入力部２３２は、液晶パネルと一体化されたタッチパネル、キーボード、マウス等を想定し、例えば、表示したユーザーインターフェイスに対するユーザーの指示を受け付ける。
制御部２２０は、何れも図示は略した、ＣＰＵ（Central Processing Unit）等のプロセッサー、ＲＯＭ（Read Only Memory）及びＲＡＭ（Random Access Memory）等のハードウェアを備える。ＲＯＭは、フラッシュＲＯＭ等の不揮発性の記憶装置であり、オペレーティングシステム等の制御プログラムやデータを格納する。ＲＡＭは、プロセッサーのワークエリアを構成する。
プロセッサーは、ＲＯＭや記憶部２４０から読み出した制御プログラムをＲＡＭに展開し、ＲＡＭに展開された制御プログラムを実行して情報処理装置２００の各機能部を実現し、情報処理装置２００の動作を統括して制御する。更に、制御部２２０は、入力部２３２が受け付けた操作に基づいて、プロジェクター（１００Ａ，１００Ｂ，１００Ｃ）の動作を制御する。
【００４０】
本実施形態では、オペレーティングシステムとしてＷｉｎｄｏｗｓ（登録商標）を想定するが、これには限定されない。例えば、Ａｎｄｒｏｉｄ（登録商標）や、ｉＯＳ（登録商標）も想定できる。
尚、制御部２２０は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、ソフトウェアで実現される機能の一部をハードウェアで実現しても良く、あるいは、ハードウェアで実現される機能の一部をソフトウェアで実現しても良い。
【００４１】
図４は、プロジェクター設定プログラム２５０の処理の流れ（制御方法）を示すフローチャートである。また、図５は、表示タブ変更処理Ｓ３１０の詳細を示すフローチャートである。以降の説明において、操作画面の一例として、図６Ａ〜図６Ｃおよび図７Ａ〜図７Ｃを適宜参照して説明する。
本実施形態では、ユーザーの操作により、情報処理装置２００においてプロジェクター設定プログラム２５０が実行され、設定対象とするプロジェクター（１００Ａ，１００Ｂ，１００Ｃ）が指定された場合を想定する。この場合、ユーザーインターフェイスとして機能する操作画面（例えば、図７Ａ〜図７Ｃ）は、プロジェクター（１００Ａ，１００Ｂ，１００Ｃ）毎に作成され、ユーザーインターフェイスを構成する部品の１つであるタブにより切り替え可能に情報処理装置２００に表示される。
【００４２】
尚、図６Ａまたは図７Ａに示すように、現在の状態は、プロジェクター１００Ａを示す「プロジェクターＡ」に関する操作画面（第１の管理画面）が最前面に表示され、操作可能な状態（第１の状態）である場合を想定する。また、「プロジェクターＢ」は、プロジェクター１００Ｂを示し、「プロジェクターＣ」はプロジェクター１００Ｃを示す。
この状態で、制御部２２０は、「プロジェクターＢ」のタブ、または「プロジェクターＣ」のタブがユーザーにより指示され、操作画面の変更が指示されたか、否かを判定する（ステップＳ３００）。例えば、「プロジェクターＢ」のタブが指示されると、「プロジェクターＢ」に関する操作画面が最前面に表示され、操作可能な状態（第２の状態）に変更される。
【００４３】
ここで、変更が指示されたと判定された場合（ステップＳ３００でＹｅｓ）、表示タブ変更処理Ｓ３１０が実行される。
ここで、図５に基づいて、表示タブ変更処理Ｓ３１０の処理について説明する。
表示タブ変更処理Ｓ３１０が実行されると、最初に、制御部２２０は、操作画面が同期モードか、否かを判定する（ステップＳ３１２）。
本実施形態では、操作画面の右上部に「同期する」と表示した選択スイッチ（設定スイッチ）を配置し、ユーザーが選択スイッチを選択することで、同期モードのＯＮ／ＯＦＦが切り替わる。この「同期する」と表示した選択スイッチは、操作画面の切り替え前後において、所定の項目を表示する項目画面を同一にするか、否かを決定する。
【００４４】
ここで、図６Ａのように「同期する」がチェックされ、操作画面が同期モードであると判定された場合（ステップＳ３１２でＹｅｓ）、制御部２２０は、現在、操作可能である「プロジェクターＡ」のタブの操作画面の情報を取得する（ステップＳ３１４）。例えば、図６Ａでは、制御部２２０は、「プロジェクターＡ」の操作画面における所定の項目を示す項目画面が「フォーカス／歪み補正」であることを取得する。
次に、制御部２２０は、フォーカスが移行する移行先のタブの操作画面に関する情報を取得する（ステップＳ３１６）。例えば、ユーザーが「プロジェクターＢ」のタブを選択した場合、制御部２２０は、フォーカスが移行する「プロジェクターＢ」の操作画面に関する情報を取得する。尚、取得される情報には、「プロジェクターＢ」の操作画面が最前面に表示され、操作可能な状態に遷移する場合に、「プロジェクターＢ」の操作画面において選択される項目画面の設定情報が含まれる。この場合、設定情報は、「フォーカス／歪み補正」、「ズーム」、「レンズシフト」および「テストパターン」の何れかを示す。
【００４５】
次に、制御部２２０は、現在の「プロジェクターＡ」の操作画面と、「プロジェクターＢ」に変更された場合の操作画面とを比較して、２つの操作画面が一致するか、即ち、共に「フォーカス／歪み補正」のように、項目画面が一致するか、否かを判定する（ステップＳ３１８）。
ここで、２つの操作画面が一致しないと判定された場合（ステップＳ３１８でＮｏ）、制御部２２０は、移行先のタブの操作画面を、現在のタブの操作画面に合わせて表示させ（ステップＳ３２０）、ステップＳ３１０を終了する。
【００４６】
例えば、図６Ａのように「プロジェクターＡ」の操作画面が「フォーカス／歪み補正」の項目画面（第１の項目画面）であり、移行先の「プロジェクターＢ」の項目画面が「フォーカス／歪み補正」とは異なる「レンズシフト」である場合、制御部２２０は、「プロジェクターＢ」の項目画面が「フォーカス／歪み補正」に対応する項目を有する項目画面（本実施形態では、「フォーカス／歪み補正」と同一の項目画面（第２の項目画面））になるように設定情報を変更し、「プロジェクターＢ」の操作画面を最前面に表示して操作可能な第２の状態に遷移させる。これにより、図６Ｂに示すように、項目画面が「フォーカス／歪み補正」である「プロジェクターＢ」の操作画面（第２の管理画面）が操作可能に表示される。
尚、本実施形態では、項目画面を同一にする態様を説明したが、これには限定されない。項目画面の機能が同一であれば良い。例えば、「プロジェクターＢ」の操作画面の項目画面は、「プロジェクターＡ」の操作画面における「フォーカス／歪み補正」の項目画面とは異なるデザインであり、「フォーカス／歪み補正」を行うことができる項目画面であっても良い。
【００４７】
本実施形態では、項目画面には、プロジェクター（１００Ａ，１００Ｂ，１００Ｃ）毎にウェブサイト上のアドレス（ＵＲＬ：Uniform Resource Locator）が割り当てられ、フォルダー名には項目画面毎に同一のファイル名が割り当てられている。例えば、「フォーカス／歪み補正」の場合のフォルダー名は、「ｆｏｃｕｓ」である。
従って、制御部２２０は、「プロジェクターＢ」の項目画面として「フォーカス／歪み補正」になるように設定情報を変更する場合、「プロジェクターＡ」の現在の項目画面に対応するＵＲＬを編集する。即ち、フォルダー名を「ｆｏｃｕｓ」に変更し、プロジェクター１００Ａのパス名をプロジェクター１００Ｂのパス名に書き換えることで、プロジェクター１００Ｂの項目画面を容易かつ迅速に設定できる。
【００４８】
尚、本実施形態では、ＵＲＬが割り当てられている項目画面の各項目は、初期値（デフォルト値）が設定された初期状態を示す態様を想定するが、これには限定されない。例えば、「フォーカス／歪み補正」では、フォーカス設定および歪み補正における複数の設定値に対応する設定画面がそれぞれ作成され、作成された設定画面にＵＲＬがそれぞれ割り当てられても良い。この場合、制御部２２０は、プロジェクター（１００Ａ，１００Ｂ，１００Ｃ）に設定されている設定状態に基づいて、複数の設定画面の中から１つを決定して表示させても良い。
また、ユーザーが「プロジェクターＣ」のタブを選択した場合、制御部２２０は、図６Ｃに示すように、「プロジェクターＣ」の操作画面を「フォーカス／歪み補正」の項目画面に変更し、最前面に表示して操作可能な状態に遷移させる。
【００４９】
他方で、ステップＳ３１８において、２つの操作画面が一致すると判定された場合（Ｙｅｓ）、制御部２２０は、移行先のタブの操作画面を表示させ（ステップＳ３２５）、ステップＳ３１０を終了する。
例えば、図６Ａのように「プロジェクターＡ」の現在の操作画面が「フォーカス／歪み補正」の項目画面である場合、移行先の「プロジェクターＢ」の項目画面も「フォーカス／歪み補正」の項目画面であるため、図６Ｂに示すように表示される。同様に、移行先の「プロジェクターＣ」の項目画面も「フォーカス／歪み補正」の項目画面であるため、図６Ｃに示すように表示される。
【００５０】
また、ステップＳ３１２において、図７Ａのように操作画面が同期モードでないと判定された場合（Ｎｏ）、制御部２２０は、移行先のタブの操作画面を表示させ（ステップＳ３２５）、ステップＳ３１０を終了する。
この場合、図６Ａのように「プロジェクターＡ」の現在の操作画面が「フォーカス／歪み補正」の項目画面であっても、移行先の「プロジェクターＢ」の項目画面は、図７Ｂに示すように、設定情報に基づいて「レンズシフト」の項目画面が表示される。同様に、移行先の「プロジェクターＣ」の項目画面は、図７Ｃに示すように、設定情報に基づいて「テストパターン」の項目画面が表示される。
【００５１】
以上述べたように、制御部２２０は、操作可能な操作画面をプロジェクター１００Ａからプロジェクター１００Ｂに同期させて変更する場合、プロジェクター１００Ａが操作可能な状態であったときに、プロジェクター１００Ａの操作画面において選択されていた所定の項目に対応する項目がプロジェクター１００Ｂの操作画面においても表示されるように制御する。即ち、制御部２２０は、プロジェクター１００Ａの操作画面において第１の項目画面が操作可能に選択されていた場合、プロジェクター１００Ｂの操作画面においても第１の項目画面と同じ項目を有する第２の項目画面が操作可能に選択されて表示される。
【００５２】
ここで、図４に戻り、表示タブ変更処理Ｓ３１０を終了すると、ステップＳ３３０が実行される。
また、ステップＳ３００において、変更が指示されていないと判定された場合（ステップＳ３００でＮｏ）も、ステップＳ３３０が実行される。
ステップＳ３３０では、制御部２２０は、操作画面の設定が変更されたか、否かを判定する。
【００５３】
ここで、操作画面の設定が変更されたと判定された場合（ステップＳ３３０でＹｅｓ）、制御部２２０は、対応するプロジェクター（１００Ａ，１００Ｂ，１００Ｃ）に、変更された設定を送信し（ステップＳ３４０）、ステップＳ３５０に進む。
また、操作画面の設定が変更されていないと判定された場合（ステップＳ３３０でＮｏ）、ステップＳ３５０に進む。
ステップＳ３５０では、制御部２２０は、終了が指示されたか、否かを判定し、終了が指示されたと判定された場合（Ｙｅｓ）、処理を終了する。
他方で、終了が指示されていないと判定された場合（ステップＳ３５０でＮｏ）、プロジェクター設定プログラム２５０の処理の最初（ステップＳ３００）に戻り、上述の処理を繰り返す。
【００５４】
以上述べた実施形態によれば、以下のような効果を奏する。
（１）ユーザーの操作により、例えば、「プロジェクターＡ」の操作画面が操作可能な第１の状態から、「プロジェクターＢ」の操作画面が操作可能な第２の状態に切り替わると、第２の状態において、第１の状態で「プロジェクターＡ」の操作画面で選択されていた項目画面に対応する項目画面が選択された「プロジェクターＢ」の操作画面が表示される。従って、「プロジェクターＡ」の操作画面で選択されていた項目画面に対応する項目画面が、「プロジェクターＢ」の操作画面において選択された状態であるため、プロジェクター１００Ａ、及びプロジェクター１００Ｂに関して所定の項目の管理が迅速に行え、プロジェクター１００Ａ，１００Ｂの管理に対する利便性が向上する。
【００５５】
（２）「プロジェクターＡ」の操作画面が操作可能な第１の状態から、「プロジェクターＢ」の操作画面が操作可能な第２の状態に切り替わると、第２の状態において、第１の状態で「プロジェクターＡ」の操作画面で選択されていた項目画面と同一の項目画面が選択された「プロジェクターＢ」の操作画面が表示される。従って、管理するプロジェクター１００Ａ，１００Ｂを切り替えた場合、同一の操作画面が表示されるため、プロジェクター１００Ａ，１００Ｂを切り替える度に操作画面を選択する手間が省ける。
【００５６】
（３）「プロジェクターＡ」の操作画面が操作可能な第１の状態から、「プロジェクターＢ」の操作画面が操作可能な第２の状態に切り替えた場合、選択スイッチに応じて、「プロジェクターＢ」の操作画面を「プロジェクターＡ」の操作画面の項目画面と同一の項目画面に変更して表示したり、「プロジェクターＢ」の操作画面で選択されている項目画面を変更せず表示したりできる。
【００５７】
以上、本発明を図示した実施形態に基づいて説明したが、本発明は、本実施形態に限定されるものではなく、以下に述べるような変形例も想定できる。
（１）プロジェクター（１００Ａ，１００Ｂ，１００Ｃ）は、光変調部８０として液晶ライトバルブを用いた方式には限定されず、ＤＬＰ（Ｄｉｇｉｔａｌ  Ｌｉｇｈｔ  Ｐｒｏｃｅｓｓｉｎｇ）方式やＬＣＯＳ（Ｌｉｑｕｉｄ  Ｃｒｙｓｔａｌ  Ｏｎ  Ｓｃｒｅｅｎ）方式等の他の方式も想定できる。
（２）表示装置はプロジェクター（１００Ａ，１００Ｂ，１００Ｃ）には限定されない。例えば、液晶ディスプレイや有機ＥＬディスプレイやヘッドマウントディスプレイ等のような直視の表示装置であってもよい。
【符号の説明】
【００５８】
５…投射システム、１０…ネットワーク、５０…画像投射部、５５…光源部、８０…光変調部、９０…投射光学系、９２…アクチュエーター、１００Ａ…プロジェクター、１００Ｂ…プロジェクター、１００Ｃ…プロジェクター、１２１…光源駆動部、１２２…光変調駆動部、１２３…光学系調整部、１３１…操作パネル、１３３…操作処理部、１４０…状態検出部、１４２…カメラ、１５２…画像処理部、１５５…フレームメモリー、１６０…制御部、１６１…投射制御部、１６３…補正処理部、１７０…記憶部、１７５…通信部、１８０…内部バス、１９０…電源部、１９５…外部の電源、２００…情報処理装置、２１０…通信部、２２０…制御部、２３０…入出力部、２３２…入力部、２３４…表示部、２４０…記憶部、２５０…プロジェクター設定プログラム、Ｌ１…出射光、Ｌ２…画像光、ＳＣ１，ＳＣ２，ＳＣ３…スクリーン。
【図１】
2020074159.tif 000003
【図２】
2020074159.tif 000004
【図３】
2020074159.tif 000005
【図４】
2020074159.tif 000006
【図５】
2020074159.tif 000007
【図６Ａ】
2020074159.tif 000008
【図６Ｂ】
2020074159.tif 000009
【図６Ｃ】
2020074159.tif 000010
【図７Ａ】
2020074159.tif 000011
【図７Ｂ】
2020074159.tif 000012
【図７Ｃ】
2020074159.tif 000013